(57)【要約】      （修正有）【課題】クラッカーの引き紐を円滑に引くことができるクラッカー用の紐引き装置と、クラッカー及び前記クラッカー用の紐引き装置を用いたクラッカー玩具とを提供する。【解決手段】クラッカー用の紐引き装置２は、火薬体が収容されたクラッカー本体部１ａと、前記火薬体に接続されると共に前記クラッカー本体部１ａから延出され、引張られて火薬体に摺動して火薬体を爆発させる引き紐１ｂとを備えるものであって、前記引き紐１ｂが取り付けられ、前記火薬体が爆発しないように引き紐１ｂを保持する待機位置と前記火薬体が爆発するように引き紐１ｂを引張って火薬体に摺動させる爆発位置との間を移動可能な被取付体２２０と、前記被取付体２２０を待機位置から爆発位置に向けて付勢する付勢手段２３０と、前記付勢手段２３０の付勢力に抗して、前記被取付体２２０を待機位置で係止する係止部と、前記係止部による係止を解除する解除部２６０と、を備える。【選択図】図１
2013100936.tif 000002
【特許請求の範囲】
【請求項１】
火薬体が収容されたクラッカー本体部と、前記火薬体に接続されると共に前記クラッカー本体部から延出され、引張られて火薬体に摺動することで火薬体を爆発させるように構成される引き紐とを備えるクラッカーの前記引き紐を引張るクラッカー用の紐引き装置であって、
前記引き紐が取り付けられる被取付体であって、前記火薬体が爆発しないように引き紐を保持する待機位置と前記火薬体が爆発するように引き紐を引張って火薬体に摺動させる爆発位置との間を移動可能に構成された被取付体と、
前記被取付体を待機位置から爆発位置に向けて付勢する付勢手段と、
前記付勢手段の付勢力に抗して、前記被取付体を待機位置で係止する係止部と、
前記係止部による係止を解除する解除部と、
を備えることを特徴とするクラッカー用の紐引き装置。
【請求項２】
前記係止部は、待機位置に位置する被取付体を、該被取付体よりも爆発位置側から支持する支持部を備え、該支持部には、被取付体が嵌入する嵌入部が形成されていることを特徴とする請求項１に記載のクラッカー用の紐引き装置。
【請求項３】
前記待機位置と前記爆発位置との間には、前記解除部によって係止部による係止が解除された被取付体の爆発位置への移動の始端となる移動開始位置が設けられており、前記解除部は、待機位置に位置する被取付体を移動開始位置に移動させることで、係止部による係止を解除することを特徴とする請求項１又は２に記載のクラッカー用の紐引き装置。
【請求項４】
被取付体の移動開始位置から爆発位置までの移動をガイドするガイド部を備えることを特徴とする請求項１乃至３のいずれか１項に記載のクラッカー用の紐引き装置。
【請求項５】
火薬体が収容されたクラッカー本体部及び前記火薬体に接続されると共に前記クラッカー本体部から延出され、引張られて火薬体に摺動することで火薬体を爆発させるように構成される引き紐を備えるクラッカーと、請求項１乃至４のいずれか１項に記載のクラッカー用の紐引き装置と、を備えるクラッカー玩具。
【発明の詳細な説明】
【技術分野】
【０００１】
本発明は、クラッカーの引き紐を引張るクラッカー用の紐引き装置と、クラッカー及び前記クラッカー用の紐引き装置を用いたクラッカー玩具とに関する。
【背景技術】
【０００２】
従来、クラッカー本体部と、該クラッカー本体部の内部に設けられる火薬体及び被噴出物と、前記火薬体に接続されると共に前記クラッカー本体部から延出され、引張られて火薬体に摺動することで火薬体を爆発させて被噴出物を噴出させる引き紐とを備えるクラッカーの前記引き紐を引張るためのクラッカー用の紐引き装置が知られている（特許文献１）。この装置は、基台と、該基台上に設けられ、回転軸を有して該回転軸を中心に回転する回転体と、該回転体を回転操作するためのハンドルと、前記回転体に設けられて引き紐が連結される連結体とを備えている。
【０００３】
具体的には、基台は、略長方形の平板状の平板部と、該平板部の短手方向の両端部に立設された軸受け部とを備えて構成されている。軸受け部には、孔が貫通して設けられている。回転体は、円筒状の円筒部と、該円筒部の外周部に周方向に沿って形成される円弧状の作動溝と、前記円筒部の中心軸に沿って円筒部の一端部外方から他端部外方に亘って設けられて円筒部を中心軸回りに回転させる棒状の回転軸とを備えて構成されている。回転軸の一端部及び他端部は、軸受けの孔に貫通して回動可能に基台に保持されており、回転軸の他端部には、回転軸を回転させるハンドルが設けられている。ハンドルは、把持可能な把持部を備えて構成されている。また、連結体は、板状部と、該板状部の長手方向の一端部側に設けられてクラッカーの引き紐を取付ける紐連結部とを備えて構成されている。この連結体は、板状部の一端部側が前記作動溝から回転体の径外方向に突出して他端部側が回転体内部に収納されている。具体的には、板状部は、回転体の外側に位置する外側部と内側に位置する内側部とに各々ピンを設けて回転体に保持されている。即ち、連結体は、作動溝を周方向に自在に移動できるが、径方向内外には移動できないように、前記ピンで規制されている。
【０００４】
かかるクラッカー用の紐引き装置では、クラッカーの引き紐を引くとき、操作者はハンドルを把持して回転操作することによって、回転体を回転させて作動溝を周方向に移動させ、作動溝の周方向の一端部に連結体を当接させる。続けて、操作者は、作動溝の周方向の一端部に連結体が位置する状態から、ハンドルを更に回転操作して、回転体を回転させて作動溝を周方向に移動させると、作動溝の一端部で板状部（連結体）が周方向に押される。この作動溝の一端部による連結体の押動に伴って、紐連結部（連結体）に取り付けられたクラッカーの引き紐は、引張られて火薬体に摺動しながら引き抜かれる。引き紐が火薬体に摺動すると、クラッカーでは、引き紐と火薬体との摩擦によって火薬体が爆発し、被噴出物が噴出する。
【先行技術文献】
【特許文献】
【０００５】
【特許文献１】特開２０１１−９９６５７号公報
【発明の概要】
【発明が解決しようとする課題】
【０００６】
しかしながら、上記従来のクラッカー用の紐引き装置では、クラッカーの引き紐を引く際に、操作者は、ハンドルの回転操作によって、作動溝の一端部に連結体が当接するまで回転体を回転させ、作動溝の一端部で連結体を周方向に押して移動させることを要するので、クラッカーの引き紐を引く操作が煩雑であった。よって、操作に遅延が生じて、クラッカーの引き紐を円滑に引くことができず、操作性の面で改善の余地があった。
【０００７】
そこで、本発明は、上記問題に鑑みてなされたもので、クラッカーの引き紐を円滑に引くことができて操作性が良いクラッカー用の紐引き装置と、クラッカー及び前記クラッカー用の紐引き装置を用いたクラッカー玩具とを提供することを課題とする。
【課題を解決するための手段】
【０００８】
本発明に係るクラッカー用の紐引き装置は、上記課題を解決するためになされたもので、火薬体が収容されたクラッカー本体部と、前記火薬体に接続されると共に前記クラッカー本体部から延出され、引張られて火薬体に摺動することで火薬体を爆発させるように構成される引き紐とを備えるクラッカーの前記引き紐を引張るクラッカー用の紐引き装置であって、前記引き紐が取り付けられる被取付体であって、前記火薬体が爆発しないように引き紐を保持する待機位置と前記火薬体が爆発するように引き紐を引張って火薬体に摺動させる爆発位置との間を移動可能に構成された被取付体と、前記被取付体を待機位置から爆発位置に向けて付勢する付勢手段と、前記付勢手段の付勢力に抗して、前記被取付体を待機位置で係止する係止部と、前記係止部による係止を解除する解除部と、を備えることを特徴とする。
【０００９】
かかるクラッカー用の紐引き装置にあっては、待機位置において係止部で係止されている被取付体に引き紐を取り付けることによって、引き紐を引く準備が整う。そして、クラッカーを発射させたい所望のタイミングで、解除部によって係止部による被取付体への係止を解除すると、被取付体は、付勢手段の付勢によって待機位置から爆発位置へと移動する。かかる移動に伴って、被取付体で引き紐は引張られ、火薬体に摺動することで該火薬体が爆発してクラッカーが発射する。このように、解除部によって係止部による被取付体への係止を解除すると、被取付体が付勢手段の付勢によって待機位置から爆発位置へと移動するので、引き紐を円滑に引張ることができて操作性が良い。
【００１０】
また、本発明に係るクラッカー用の紐引き装置は、前記係止部が、待機位置に位置する被取付体を、該被取付体よりも爆発位置側から支持する支持部を備え、該支持部には、被取付体が嵌入する嵌入部が形成されるように構成することも可能である。
【００１１】
かかるクラッカー用の紐引き装置にあっては、待機位置に位置する被取付体が、該被取付体よりも爆発位置側から支持部で支持されて嵌入部に嵌入しているので、被取付体を付勢手段の付勢力に抗して待機位置に確実に係止することができる。それ故、例えばクラッカーの引き紐を待機位置に位置する被取付体に取付けた状態のクラッカー用の紐引き装置を運搬時等に、係止部による係止が不用意に解除されてしまい、被取付体が付勢手段の付勢によって待機位置から爆発位置へと移動して、クラッカーの引き紐が引張られて火薬体に摺動し、火薬体が爆発（暴発）することを防止することができ、従って安全性を向上させることができる。
【００１２】
また、本発明に係るクラッカー用の紐引き装置は、前記待機位置と前記爆発位置との間には、前記解除部によって係止部による係止が解除された被取付体の爆発位置への移動の始端となる移動開始位置が設けられており、前記解除部が、待機位置に位置する被取付体を移動開始位置に移動させることで、係止部による係止を解除するように構成することも可能である。
【００１３】
かかるクラッカー用の紐引き装置にあっては、解除部が、待機位置に位置する被取付体を待機位置と爆発位置との間に設けられた移動開始位置に移動させることで、係止部による係止が解除されるので、係止部による係止を容易に解除することができる。
【００１４】
また、本発明に係るクラッカー用の紐引き装置は、被取付体の移動開始位置から爆発位置までの移動をガイドするガイド部を備えるように構成することも可能である。
【００１５】
かかるクラッカー用の紐引き装置にあっては、解除部が待機位置に位置する被取付体を移動開始位置に移動させたとき、被取付体は、ガイド部によって、移動開始位置から爆発位置までガイドされて移動するので、被取付体に取り付けた引き紐を爆発位置まで引張って火薬体を確実に爆発させることができる。
【００１６】
また、本発明に係るクラッカー玩具は、火薬体が収容されたクラッカー本体部及び前記火薬体に接続されると共に前記クラッカー本体部から延出され、引張られて火薬体に摺動することで火薬体を爆発させるように構成される引き紐を備えるクラッカーと、前記クラッカー用の紐引き装置と、を備えることを特徴とする。
【００１７】
かかるクラッカー玩具にあっては、待機位置において係止部で係止されている被取付体に引き紐を取り付けることによって、引き紐を引く準備が整う。そして、クラッカーを発射させたい所望のタイミングで、解除部によって係止部による被取付体への係止を解除すると、被取付体は、付勢手段の付勢によって待機位置から爆発位置へと移動する。かかる移動に伴って、被取付体で引き紐は引張られ、火薬体に摺動することで該火薬体が爆発してクラッカーが発射する。このように、解除部によって係止部による被取付体への係止を解除すると、被取付体が付勢手段の付勢によって待機位置から爆発位置へと移動するので、引き紐を円滑に引張ることができて操作性が良い。
【発明の効果】
【００１８】
以上のように、本発明に係るクラッカー用の紐引き装置と、クラッカー及び前記クラッカー用の紐引き装置を用いたクラッカー玩具とによれば、引き紐が取り付けられる被取付体であって、火薬体が爆発しないように引き紐を保持する待機位置と前記火薬体が爆発するように引き紐を引張る爆発位置との間を移動可能に構成された被取付体と、前記被取付体を待機位置から爆発位置に向けて付勢する付勢手段と、前記付勢手段の付勢力に抗して、前記被取付体を待機位置で係止する係止部と、前記係止部による係止を解除する解除部と、を備えるので、解除部によって係止部による被取付体への係止を解除することで、被取付体を付勢手段の付勢によって待機位置から爆発位置へと移動させることができて、引き紐を円滑に引張ることができ、従って、操作性が良いという効果を奏する。
【図面の簡単な説明】
【００１９】
【図１】本発明に係るクラッカー玩具の一実施形態を示す図であり、（ａ）はクラッカー玩具の全体図、（ｂ）はクラッカー玩具内の概略外形図を示す。
【図２】本発明に係るクラッカー用の紐引き装置の正面図であって、クラッカーの引き紐を引く前の状態の図を示す。
【図３】同クラッカー用の紐引き装置の側面図であって、同引き紐を引く前の状態の図を示す。
【図４】同クラッカー用の紐引き装置の側面図であって、同引き紐を引いた状態の図を示す。
【発明を実施するための形態】
【００２０】
以下、本発明に係るクラッカー用の紐引き装置及びクラッカー玩具の一実施形態について、図面を参酌しつつ説明する。尚、以下の説明において、図１（ｂ）の正面図を基準に、上下方向、左右方向を規定し、紙面表裏方向を前後方向と規定する。
【００２１】
本実施形態に係るクラッカー玩具は、図１（ａ）及び（ｂ）に示すように、クラッカー１と、クラッカー用の紐引き装置２と、前記クラッカー用の紐引き装置２が取り付けられ、かつ、前記クラッカー１を収納する収納部３と、クラッカー用の紐引き装置２及び収納部３を収納する樽部４とを備える。
【００２２】
クラッカー１は、クラッカー本体部１ａと、該クラッカー本体部１ａに収納される火薬体及び被噴出物（図示省略）と、クラッカー本体部１ａ外に延出される引き紐１ｂとを備える。クラッカー本体部１ａは、円筒状をなしており、断面略円形で上下方向に長く形成されている。また、クラッカー本体部１ａの上面は閉塞されて、下面は開放されており、クラッカー本体部１ａの内部は中空をなしている。火薬体は、赤燐火薬や黒色火薬などで構成される。被噴出物は、メタルテープ、小巻テープ、紙吹雪、メタル吹雪、コットンボール、ぬいぐるみ、パラシュートその他被噴出物のいずれか一つ又はその組合せで構成される。火薬体及び被噴出物は、共にクラッカー本体部１ａの内部に設けられる。引き紐１ｂは、紐状をなして構成されている。また、引き紐１ｂは、一端部側がクラッカー本体部１ａの下面を貫通して内部に収納される火薬体に接続され、他端部側がクラッカー本体部１ａの外部に延出されるようにクラッカー本体部１ａの下側に設けられている。
【００２３】
尚、本実施形態では、クラッカー１は、二つのクラッカー本体部１ａと、各クラッカー本体部１ａから延出される二本の引き紐１ｂと、クラッカー本体部１ａ及び引き紐１ｂの一部を収納する筒状の外装体１ｃとが一体で構成されている（図１（ｂ）参照）。また、外装体１ｃの内側では、ボンドなどの接着剤を用いてクラッカー本体部１ａが固着されている。
【００２４】
かかるクラッカー１では、引き紐１ｂの他端部側が引張られて、一端部側が火薬体に摺動すると、引き紐１ｂと火薬体との摩擦によって、火薬体が爆発し被噴出物がクラッカー本体部１ａ外に（具体的には、上面の飛出口から）噴出する。
【００２５】
また、本実施形態に係るクラッカー用の紐引き装置２は、図１（ｂ）、図２及び図３に示すように、クラッカー１の引き紐１ｂを引張ってクラッカー１（具体的には、クラッカー本体部１ａの内部に収納されている被噴出物）を発射させることができる装置である。このクラッカー用の紐引き装置２は、左右方向に対向する一対の側板２１２を有し平面視略凹状をなす本体部２１０と、該本体部２１０の一対の側板２１２に保持され、前記クラッカー１の引き紐１ｂが取付けられる棒状の被取付体２２０と、該被取付体２２０の各端部側を本体部２１０の下部に繋ぐようにして一対設けられ、被取付体２２０を付勢するコイル状の付勢手段２３０とを備える。また、クラッカー用の紐引き装置２は、本体部２１０の上部に設けられて平面視略凹状をなす解除部２６０と、該解除部２６０を操作する操作手段２７０とを備える。
【００２６】
本体部２１０は、奥板２１１と、該奥板２１１の左右方向の両端から前方に延設されて対向する一対の側板２１２と、該側板２１２の上端から左右方向外向き（奥板２１１から離れる方向）に設けられる一対の天板２１３とを有してなる。奥板２１１は、平板状をなしており、軽量化のための孔２１４を備える（図２参照）。本実施形態では、奥板２１１は、正面視略Ｕ字形状にくり抜かれており、このくり抜かれた部分が孔２１４となっている。
【００２７】
側板２１２は、平板状をなしており、側板２１２の上下方向の長さは、奥板２１１の上下方向の長さよりも長い。また、側板２１２は、図３に示すように、奥板２１１の上下方向の長さよりも長い部分の後方側が略長方形状に切り欠かれている。かかる側板２１２には、前後方向に沿う長孔Ａ１と、上下方向に沿う長孔Ａ２とがつながって形成される略Ｌ字形状の孔Ａが形成されている（図３又は図４参照）。具体的には、側板２１２には、前後方向に沿う長孔Ａ１を形成する周壁である係止部２４０と、上下方向に沿う長孔Ａ２を形成する周壁であり、前記係止部２４０の前部から下方に連設されるガイド部２５０とが形成されている。
【００２８】
係止部２４０は、側板２１２に貫通して設けられる前後方向に直線状をなす長孔Ａ１を形成する上部と下部と後部との壁部から構成される。上部と下部との壁部は、前後方向に沿って形成されており、上下方向に離間して対向している。また、上部の壁部は、下部の壁部よりも前後方向の長さが長い。この上部と下部との壁部の後方は、後方向に凸の断面略円弧状をなす後部の壁部によって連結されている。
【００２９】
ここで、下部の壁部が支持部２４１であり、支持部２４１は、後部に下方に凸の断面略円弧状に形成された凹部（切欠き）である嵌入部２４２を備える（図３参照）。本実施形態では、嵌入部２４２の深さは、最大５ｍｍ程度で構成されている。
【００３０】
ガイド部２５０は、側板２１２に貫通して設けられる上下方向に直線状をなす長孔Ａ２を形成する上部と下部と前部と後部との壁部から構成される。上部と下部との壁部は、前後方向に沿って形成され、上下方向に離間して対向している。両壁部の前後方向の長さは略等しい。かかる上部と下部との壁部の前方は、前部の壁部によって連結されている。また、下部の壁部の後方からは、後部の壁部が延設されている。前部と後部との壁部は、上下方向に沿って形成され、前後方向に離間して対向している。前部の壁部は、後部の壁部よりも上下方向の長さが長い。
【００３１】
かかるガイド部２５０は、係止部２４０から連設して側板２１２に形成されている。具体的には、ガイド部２５０における上部の壁部の後方は、係止部２４０における上部の壁部の前方から延設されており、ガイド部２５０における後部の壁部の上方は、支持部２４１（係止部２４０）における下部の壁部の前方から延設されている。尚、ガイド部２５０の下端よりも下方に、円柱状の突起部２８０が設けられている（図３参照）。
【００３２】
天板２１３は、平板状をなしており、対向する一対の側板２１２の各上端から、左右方向外向きに延設されている。
【００３３】
被取付体２２０は、左右方向に沿う円柱状をなしている。被取付体２２０は、第一円柱体２２１と、該第一円柱体２２１の左右方向の両端から外方に延設される第二円柱体２２２とから構成される（図２参照）。また、第一円柱体２２１と第二円柱体２２２とが接続される部分には、周方向に沿って溝部２２３が形成されている。
【００３４】
第一円柱体２２１は、円柱状（或いは円筒状）をなしている。具体的には、第一円柱体２２１は、径が略一定の円柱状をなす大径部分と、その両端に設けられ、大径部分よりも径が小径で略一定の円柱状をなす小径部分とから構成されている。この第一円柱体２２１の大径部分の中央部には、小孔２２４が貫通して設けられている。小孔２２４は、断面略円形で、例えば直径が約４ｍｍの孔からなり、本実施形態では、第一円柱体２２１の左右方向に８ｍｍ程度離間して設けられる２つの孔で構成される。
【００３５】
第二円柱体２２２は、小径部２２５と、該小径部２２５の一端から連設される大径部２２６とを有してなる。小径部２２５は、径が略一定の円筒状をなしており、第一円柱体２２１（具体的には、大径部分）と略同径もしくは大径である。大径部２２６は、径が略一定の円柱状をなしており、小径部２２５よりも大径をなしている。この第二円柱体２２２は、ネジＮ０を用いて第一円柱体２２１の両端部（小径部分）に取付けられ、第二円柱体２２２と第一円柱体２２１との間には、溝部２２３が形成されている。
【００３６】
かかる被取付体２２０は、本体部２１０の側板２１２に形成される係止部２４０又はガイド部２５０に規制されて移動可能に、本体部２１０の一対の側板２１２に保持されている。具体的には、本体部２１０の一対の側板２１２に形成される略Ｌ字形状の孔Ａ（Ａ１，Ａ２）に係合（嵌入）することで、本体部２１０に保持されている。詳細には、被取付体２２０の第一円柱体２２１は、本体部２１０の一対の側板２１２の間に配置され、第二円柱体２２２の小径部２２５は側板２１２の略Ｌ字形状の孔Ａ（Ａ１，Ａ２）を貫通して、係止部２４０又はガイド部２５０に配置され、第二円柱体２２２の大径部２２６は、一対の側板２１２の外側から該側板２１２を挟むようにして配置されている（図２参照）。
【００３７】
付勢手段２３０は、上下方向に沿って形成される螺旋状のバネ２３１と、該バネ２３１の上端及び下端から各々外方に延設される環状の引掛け部２３２とから構成される（図２参照）。付勢手段２３０は、本実施形態では、付勢力を有する引張コイルバネから構成される。
【００３８】
かかる付勢手段２３０は、本体部２１０に設けられている。具体的には、バネ２３１の上端から上方に延設される引掛け部２３２は、被取付体２２０の溝部２２３に引掛けられている（係合している）。また、バネ２３１の下端から下方に延設される引掛け部２３２は、側部の下部で係止部２４０及びガイド部２５０よりも後方に設けられるネジＮ１に引掛けられている（図２及び図３参照）。即ち、付勢手段２３０は、係止部２４０又はガイド部２５０に配置される被取付体２２０に対して、下方かつ後方への付勢力を及ぼすようにして本体部２１０に取り付けられている（図３参照）。
【００３９】
解除部２６０は、係止部２４０からガイド部２５０に被取付体２２０を移動させるための手段であり、平板状の奥面板２６１と、該奥面板２６１の左右方向の両端から前方に設けられて対向する一対の側面板２６２とを備える（図２及び図３参照）。奥面板２６１は、左右方向に長い正面視略矩形をなしており、奥面板２６１の左右方向の長さは、奥板２１１の左右方向の長さより若干短い。側面板２６２は、略Ｌ字形状をなしており、前後方向に沿う第一直線部２６３と、該第一直線部２６３の前部の下端から下方に延設される第二直線部２６４と、該第二直線部２６４の後部の下端から下方に延設される突片２６５とを備える（図３参照）。かかる解除部２６０は、対向する一対の側板２１２の間に設けられている。具体的には、一対の側面板２６２（左右の側面板）は、一対の側板２１２（左右の側板）に対して、ネジＮ２を左右方向外向きに貫通させボルト止めされることで取付けられている（図２参照）。この解除部２６０は、本体部２１０に対してネジＮ２を固定軸にし、ネジＮ２の軸回りに旋回（回動）するように構成されている。
【００４０】
操作手段２７０は、解除部２６０を操作するための手段であり、電磁アクチュエータ２７１と、電波を送信する送信装置２７２と、電磁アクチュエータ２７１に電気的に接続され、前記送信装置２７２からの電波を受信する受信装置２７３とを備える（図１（ｂ）及び図３参照）。
【００４１】
電磁アクチュエータ２７１は、いわゆるソレノイドアクチュエータで構成され、本体部２７１ａと、本体部２７１ａの上部に設けられて上下方向に移動可能な可動部２７１ｂとを備える。本体部２７１ａは、円柱状体をなしている。可動部２７１ｂは、棒状体をなし、可動部２７１ｂの上部には、上下方向に沿う隙間が形成されている。かかる電磁アクチュエータ２７１では、本体部２７１ａに電気が流されると、可動部２７１ｂが下動するように構成されている。この電磁アクチュエータ２７１は、奥板２１１（本体部２１０）の後方に設けられている。具体的には、本体部２７１ａは、奥板２１１の後面に設けられた中空の箱体Ｈに収納されている。また、可動部２７１ｂは、連結具２９０によって解除部２６０の奥面板２６１に連結されている（図３参照）。連結具２９０は、奥面板２６１の後面に設けられて平面視略凹状をなす凹形状部２９１と、平板状の板状部２９２とを有する。板状部２９２の下部は、可動部２７１ｂの上部の隙間に挿通され、例えば割ピンで軸止めされており、軸回りに回転可能な状態となっている。板状部２９２の上部は、前記凹形状部２９１に左右方向に設けられた棒状の軸部２９３に貫通されている。かかる板状部２９２は、軸部２９３の軸回りに回転可能な状態となっている。
【００４２】
送信装置２７２は、電波を受信装置２７３に送信可能に構成されている。送信装置２７２は、本実施形態では、押しボタン２７２ａを有するリモコンであって、ボタン２７２ａを押下することで、受信装置２７３に電波を送信可能に構成される（図１（ｂ）参照）。
【００４３】
受信装置２７３は、筐体状をなしている。この受信装置２７３は、送信装置２７２からの電波を受信して、当該受信に基づき、電磁アクチュエータ２７１の本体部２７１ａに接続されたケーブルＣを介して、本体部２７１ａに電気を流すように構成されている。本実施形態では、受信装置２７３は、例えば電池から電源供給がなされ、電池の寿命が短くなると（電圧が降下すると）、点灯表示するランプと、安定した電気供給（電圧降下防止）をするためのコンデンサとを有する。
【００４４】
以上のように構成されるクラッカー用の紐引き装置２の動作について説明しておくと、かかるクラッカー用の紐引き装置２では、送信装置２７２の操作（ボタン２７２ａの押下操作）によって、図３及び４に示すように、解除部２６０を回動させる。この回動に伴って、クラッカー１の引き紐１ｂが取付けられる被取付体２２０は、クラッカー１の火薬体が爆発しないように引き紐１ｂを保持する待機位置Ｓから火薬体が爆発するように引き紐１ｂを引張る爆発位置Ｌに移動する。尚、爆発位置Ｌを経た被取付体２２０は、移動終端位置Ｔまで移動する。また、待機位置Ｓと爆発位置Ｌとの間には、被取付体２２０の爆発位置Ｌへの移動の始端となる移動開始位置Ｍが設けられている。
【００４５】
ここで、待機位置Ｓは、本実施形態では、被取付体２２０が付勢手段２３０の付勢力に抗して係止部２４０（即ち、支持部２４１又は嵌入部２４２）によって係止されている位置を指す（図３参照）。また、爆発位置Ｌは、移動開始位置Ｍと移動終端位置Ｔとの間に位置しており、本実施形態では、被取付体２２０が付勢手段２３０によってガイド部２５０の上下方向の中央部近傍に付勢されている位置を指す（図４参照）。また、移動開始位置Ｍは、本実施形態では、解除部２６０によって係止部２４０による係止が解除された被取付体２２０が待機位置Ｓから爆発位置Ｌ（又は、移動終端位置Ｔ）に移動する始端となる位置であって、係止部２４０とガイド部２５０との連結部分の近傍からガイド部２５０の上端（上部の壁部）近傍に掛けての位置を指す。移動終端位置Ｔは、本実施形態では、被取付体２２０が移動開始位置Ｍから爆発位置Ｌを経て到達する終端となる位置であって、ガイド部２５０の下端（下部の壁部）或いは下端近傍の位置を指す。
【００４６】
従って、クラッカー用の紐引き装置２の上記構成要素について換言すれば、被取付体２２０は、待機位置Ｓと爆発位置Ｌ（又は、移動終端位置Ｔ）との間を移動可能に構成されている。付勢手段２３０は、被取付体２２０を待機位置Ｓから爆発位置Ｌ（又は、移動終端位置Ｔ）に向けて付勢するように構成されている。係止部２４０は、付勢手段２３０の付勢力に抗して、被取付体２２０を待機位置Ｓで係止するように構成されている。この係止部２４０は、待機位置Ｓに位置する被取付体２２０を、該被取付体２２０よりも爆発位置Ｌ側から支持する支持部２４１を備え、該支持部２４１には、被取付体２２０が嵌入する嵌入部２４２が形成されている。ガイド部２５０は、被取付体２２０の移動開始位置Ｍから爆発位置Ｌ（又は、移動終端位置Ｔ）への移動をガイドするように構成されている。解除部２６０は、待機位置Ｓに位置する被取付体２２０を移動開始位置Ｍに移動させることで、係止部２４０による係止を解除するように構成されている。
【００４７】
更に、クラッカー用の紐引き装置２の動作を詳しく説明しておくと、送信装置２７２の操作（ボタン２７２ａの押下操作）前の準備として、クラッカー１の引き紐１ｂが取付けられる被取付体２２０は、付勢手段２３０の付勢力に抗して、嵌入部２４２に嵌入されて待機位置Ｓに係止（待機）される（図１（ｂ）、図２及び図３参照）。このとき、電磁アクチュエータ２７１の可動部２７１ｂは、本体部２７１ａから上方に所定長突出した状態となっている。更に、連結具２９０を介して可動部２７１ｂと連結される突片２６５（解除部２６０）は、図３の側面視における投影のように、係止部２４０より後方に位置している。
【００４８】
そして、送信装置２７２を操作（リモコンのボタン２７２ａを押下）すると、送信装置２７２から受信装置２７３に電波が送信される。電波を受信した受信装置２７３は、ケーブルＣを介して電磁アクチュエータ２７１（本体部２７１ａ）に電気を流す。電気が流された電磁アクチュエータ２７１では、可動部２７１ｂが下方に移動する（図４参照）。更に、連結具２９０を介して可動部２７１ｂと連結される解除部２６０は、ネジＮ２の軸回りに回動する。この回動に伴って、突片２６５は、図４の側面視における投影のように、係止部２４０の後部から中央部程度に及ぶ位置に移動する。即ち、突片２６５は、嵌入部２４２に嵌入して係止されていた被取付体２２０の係止を解除して、係止部２４０とガイド部２５０との連結部分の近傍（或いは、ガイド部２５０の上端近傍）まで、つまり、待機位置Ｓから移動開始位置Ｍまで被取付体２２０を移動させる。移動開始位置Ｍに移動した被取付体２２０は、付勢手段２３０の付勢力によって付勢され、ガイド部２５０に規制（案内）されながら、ガイド部２５０の上端近傍から中央部近傍を経て下端まで、即ち、移動開始位置Ｍから爆発位置Ｌを経て移動終端位置Ｔまで移動する（図４参照）。尚、爆発位置Ｌでは、クラッカー１の火薬体が爆発するように引き紐１ｂが引張られることになるので、クラッカー１が発射（即ち被噴出物が噴出）される。
【００４９】
収納部３は、クラッカー１を収納又は保持する収納体３１０と、該収納体３１０を保持する保持台３２０とを有し、一体的に形成される。収納体３１０は、径が略一定の円筒状をなし、内側に中空部３１１が設けられて構成されており、例えば紙管からなる。保持台３２０は、収納体３１０の上端に形成される上板３２１と、収納体３１０の下端に形成される下板３２２と、上板３２１及び下板３２２の間に設けられる円柱状の支柱３２３とを有する（図１（ｂ）参照）。上板３２１は、円形状の薄板をなしており、その中央部には、中空部３１１と略同径の上板孔が形成されている。かかる上板孔は、収納体３１０の中空部３１１の上方と連通している。下板３２２は、円形状の薄板をなしており、その中央部には、中空部３１１より小径の下板孔が形成されている。かかる下板孔は、収納体３１０の中空部３１１の下方と連通している。
【００５０】
かかる収納部３には、クラッカー用の紐引き装置２が取付けられている。具体的には、クラッカー用の紐引き装置２の天板２１３の上面と保持台３２０の下板３２２の下面とを密着させた状態で、ネジＮ３及びボルトを用いて、クラッカー用の紐引き装置２が保持台３２０に取付けられている。尚、被取付体２２０は、係止部２４０の嵌入部２４２に嵌入された状態で側板２１２に保持されている（図１（ｂ）、図２及び図３参照）。
【００５１】
また、収納部３には、クラッカー１が収納されている。具体的には、収納体３１０の中空部３１１に、クラッカー１（具体的には、クラッカー本体部１ａの一部と引き紐１ｂの一部と外装体１ｃの一部）が挿入されて、外装体１ｃの下部が保持台３２０の下板３２２に載置されている。また、引き紐１ｂは、下板３２２の下板孔から下方に延出されている。この下方に延出された引き紐１ｂは、嵌入部２４２に嵌入された被取付体２２０の第一円柱体２２１における一つ目の小孔２２４に対して前方側から後方側に挿通され、更に二つ目の小孔２２４に対しても前方側から後方側に挿通されている（図１（ｂ）参照）。
【００５２】
このようにクラッカー用の紐引き装置２が取付けられ、かつ、クラッカー１が収納された収納部３は、上板３２１が後述の樽部４の蓋となるようにして、樽部４の上方から嵌め込まれて収納される。
【００５３】
樽部４は、側面に複数の孔４ａを有する樽であり、前記孔４ａには、例えば玩具の剣やスティックなどの挿入体を挿入可能に構成されている（図１（ａ）参照）。また、樽部４の上面は開口され、樽部４の下面は底部で閉塞されている。かかる樽部４では、上面の開口を閉塞するように、収納部３の上板３２１が嵌合されて、収納部３、クラッカー用の紐引き装置２、クラッカー１が内部に収納されている。
【００５４】
以上のような構成のクラッカーは、例えば、披露宴などの宴会の催し物として用いられる。具体的には、複数のプレーヤ（ゲームに参加した者）は、図１（ａ）に示す樽部４の孔４ａの一つに玩具の剣を順に挿し込んでいく。そして、特定のプレーヤが玩具の剣を孔４ａに挿し込んだときに、操作者（例えばゲームの司会者・進行役）が送信装置２７２を操作して、クラッカーの火薬体を爆発させて被噴出物（メタルテープなど）を噴出させる。
【００５５】
詳細には、操作者による送信装置２７２の操作前におけるクラッカー用の紐引き装置２では、図１（ｂ）及び図２及び図３に示すように、被取付体２２０は、係止部２４０の支持部２４１によって付勢手段２３０の付勢力に抗して、待機位置Ｓで係止されるように準備される。このとき、被取付体２２０は、被取付体２２０よりも爆発位置Ｌ側から支持部２４１で支持されている。詳細には、被取付体２２０は、嵌入部２４２に嵌入しており、また、被取付体２２０は、クラッカー１の火薬体が爆発しないように引き紐１ｂを保持している。
【００５６】
そして、操作者が任意のタイミングで送信装置２７２を操作（例えばリモコンのボタン２７２ａを押下）すると、送信装置２７２から受信装置２７３に電波が送信される。電波を受信した受信装置２７３は、ケーブルＣを介して電磁アクチュエータ２７１（本体部２７１ａ）に電気を流す。電気が流された電磁アクチュエータ２７１では、可動部２７１ｂが下方に移動する。図４に示すように、可動部２７１ｂが下方に動いたとき、可動部２７１ｂに連結具２９０を介して連結された解除部２６０は、ネジＮ２の軸回りに回動する。この回動に伴って、突片２６５によって、被取付体２２０が嵌入部２４２から押し出されて、ガイド部２５０の上端近傍に移動する。換言すれば、被取付体２２０は、解除部２６０によって待機位置Ｓから移動開始位置Ｍに移動させられ、係止部２４０による係止が解除される。移動開始位置Ｍに移動した被取付体２２０は、付勢手段２３０に付勢されて、ガイド部２５０に規制されて中央部近傍の爆発位置Ｌを経て下端の移動終端位置Ｔまで案内される（図４参照）。尚、ガイド部２５０の下端の移動終端位置Ｔまで案内された被取付体２２０の第二円柱体２２２は、突起部２８０に当接する（図４参照）。即ち、突起部２８０は、第二円柱体２２２によるガイド部２５０の下端への衝撃を吸収している。
【００５７】
ここで、被取付体２２０がガイド部２５０に規制（案内）されつつ、付勢手段２３０の付勢力によって付勢されて移動開始位置Ｍから爆発位置Ｌに移動すると同時に、被取付体２２０に取付けられた引き紐１ｂは、下方向（引張方向）に引張られて火薬体に摺動する。詳細には、クラッカー１では、引き紐１ｂの一端側が火薬体に摺動し、引き紐１ｂと火薬体との摩擦によって火薬体が爆発して、被噴出物がクラッカー本体部１ａ上方及び樽部４上方から噴出する。
【００５８】
以上、本実施形態に係るクラッカー用の紐引き装置２及びクラッカー玩具によれば、引き紐１ｂが取り付けられる被取付体２２０であって、火薬体が爆発しないように引き紐１ｂを保持する待機位置Ｓと前記火薬体が爆発するように引き紐１ｂを引張って火薬体に摺動させる爆発位置Ｌとの間を移動可能に構成された被取付体２２０と、前記被取付体２２０を待機位置Ｓから爆発位置Ｌに向けて付勢する付勢手段２３０と、前記付勢手段２３０の付勢力に抗して、前記被取付体２２０を待機位置Ｓで係止する係止部２４０と、前記係止部による係止を解除する解除部２６０と、を備えるので、解除部２６０によって係止部２４０による被取付体２２０への係止を解除することで、被取付体２２０を付勢手段２３０の付勢によって待機位置Ｓから爆発位置Ｌへと移動させることができて、引き紐１ｂを円滑に引張ることができ、従って、操作性が良いという効果を奏する。
【００５９】
また、待機位置Ｓに位置する被取付体２２０は、該被取付体２２０よりも爆発位置Ｌ側から支持部２４１で支持されて嵌入部２４２に嵌入しているので、被取付体２２０を付勢手段２３０の付勢力に抗して待機位置Ｓに確実に係止することができる。それ故、例えばクラッカー１の引き紐１ｂを待機位置Ｓに位置する被取付体２２０に取付けた状態のクラッカー用の紐引き装置２を運搬時等に、係止部２４０による係止が不用意に解除されてしまい、被取付体２２０が付勢手段２３０の付勢によって待機位置Ｓから爆発位置Ｌへと移動して、クラッカー１の引き紐１ｂが引張られて火薬体に摺動し、火薬体が爆発（暴発）することを防止することができ、従って安全性を向上させることができる。
【００６０】
また、解除部２６０は、待機位置Ｓに位置する被取付体２２０を待機位置Ｓと爆発位置Ｌとの間に設けられた移動開始位置Ｍに移動させることで、係止部２４０による係止が解除されるので、係止部２４０による係止を容易に解除することができる。
【００６１】
また、解除部２６０は、待機位置Ｓに位置する被取付体２２０を移動開始位置Ｍに移動させたとき、被取付体２２０は、ガイド部２５０によって、移動開始位置Ｍから爆発位置Ｌにガイドされて移動するので、被取付体２２０に取り付けた引き紐１ｂを爆発位置Ｌに引張って火薬体を確実に爆発させることができる。
【００６２】
また、爆発位置Ｌは、ガイド部２５０の上下方向の中央部近傍に位置しているので、付勢手段２３０によって、被取付体２２０がガイド部２５０の上端近傍から下端（又は、移動開始位置Ｍから移動終端位置Ｔ）に付勢されるとき、被取付体２２０に取り付けた引き紐１ｂを爆発位置Ｌに引張って火薬体を確実に爆発させることができる。
【００６３】
また、被取付体２２０が係止部２４０で係止されているとき、付勢手段２３０は、被取付体２２０に対して、下方かつ後方への付勢力を及ぼしているので、かかる付勢力によって被取付体２２０を係止部２４０（支持部２４１、嵌入部２４２）に確実に係止できる。
【００６４】
また、受信装置２７３は、電池の寿命が短くなると点灯表示するランプと、安定した電気供給をするためのコンデンサとを有しているので、寿命が短くなった電池を事前に交換できると共に急な電圧降下の防止をでき、受信装置２７３から電磁アクチュエータ２７１への安定した電気供給を確保し易い。よって、送信装置２７２を操作したにも拘らず、受信装置２７３からの電気供給が足りないため電磁アクチュエータ２７１が動作せず、クラッカー１が不発となるような不測の事態を防止できる。
【００６５】
また、クラッカー１の引き紐１ｂは、第一円柱体２２１の左右方向の中央部に設けられた二つの小孔２２４に挿通されて被取付体２２０に取付けられているので、引き紐１ｂを結ぶ又は解く作業を要さず、引き紐１ｂの取付け及び取り外しが極めて簡単にできる。
【００６６】
また、操作手段２７０は、電磁アクチュエータ２７１と、電波を送信する送信装置２７２と、電磁アクチュエータ２７１に電気的に接続され、前記送信装置２７２からの電波を受信する受信装置２７３とを備えるので、無線かつ遠隔的に電磁アクチュエータ２７１を操作でき、クラッカー用の紐引き装置２の操作性を向上させるという効果を奏する。即ち、送信装置２７２を操作（リモコンのボタン２７２ａを押下）するだけで、誰もが任意のタイミングで簡単にクラッカー１から被噴出物を噴出させることができる。換言すれば、本実施形態に係るクラッカー玩具では、クラッカー１を発射させたいプレーヤを事前に選任することができる。
【００６７】
尚、本発明に係るクラッカー用の紐引き装置２及びクラッカー玩具は、上記実施形態に限定されるものではなく、本発明の要旨を逸脱しない範囲で種々の変更が可能である。
【００６８】
例えば、本実施形態では、クラッカー玩具が収納部３と樽部４とを有する場合について説明したが、これに限らず、クラッカー玩具は、収納部３に代えて、クラッカー用の紐引き装置２が取り付けられる被取付部と、クラッカー１のクラッカー本体部１ａを固定（又は保持）する固定部とを離間して又は一体的に有することが可能である。また、クラッカー玩具は、樽部４を備えずともよいし、或いは、樽部４に代えて、筒状の砲身に二つの車輪が取り付けられた大砲の玩具など、その他様々な形状の玩具で構成されることができる。
【００６９】
また、本実施形態では、クラッカー玩具の収納部３がクラッカー１を収納する場合について説明したが、これに限らず、クラッカー用の紐引き装置２は、クラッカー本体部１ａを保持する保持部を備えて構成することも可能である。
【００７０】
また、本実施形態では、操作手段２７０が電磁アクチュエータ２７１と送信装置２７２と受信装置２７３とを備える場合について説明したが、これに限らず、操作手段２７０は、電磁アクチュエータ２７１に代えて電動アクチュエータを備えることが可能である。また、操作手段２７０は、電磁アクチュエータ２７１と、該電磁アクチュエータ２７１にケーブルで接続されるリモコンとを備え、リモコンのボタン操作により電磁アクチュエータ２７１を可動させるように構成してもよい。また、操作手段２７０は、把持可能なハンドルなどの把持部を用いて、手動で把持部を操作すると、可動部２７１ｂが下動するように構成される手動アクチュエータを備えることが可能である。
【００７１】
また、本実施形態では、被取付体２２０の第一円柱体２２１が小孔２２４を有する場合について説明したが、これに限らず、第一円柱体２２１は、引き紐１ｂを巻き付ける鉤爪状の鉤爪部（フック部）を備えることが可能である。
【００７２】
また、本実施形態では、係止部２４０は、前後方向に沿う直線状の長孔Ａ１を形成する上部と下部と後部との壁部から構成される場合について説明したが、これに限らず、係止部２４０は、下部と後部との壁部であって、レール状に形成されてもよいし、或いは、後方かつ下方に沿う直線状や曲線状（例えば上方に凸となる曲線）の孔を形成する周壁又はレール状に形成されてもよい。
【００７３】
また、本実施形態では、ガイド部２５０は、上下方向に沿う直線状の長孔Ａ２を形成する上部と下部と前部と後部との壁部から構成される場合について説明したが、これに限らず、ガイド部２５０は、下部と後部との壁部であって、レール状に形成されてもよいし、或いは、後方かつ下方に沿う直線状や曲線状（例えば前方に凸となる曲線）の孔を形成する周壁又はレール状に形成されてもよい。
【００７４】
また、本実施形態では、爆発位置Ｌは、ガイド部２５０の上下方向の中央部近傍である場合について説明したが、これに限らず、爆発位置Ｌは、移動開始位置Ｍと移動終端位置Ｔとの間に位置していればよく、例えばガイド部２５０の上部（具体的には、上端近傍から中央部近傍）、又は、下部（中央部近傍から下端近傍）であることも可能である。
【００７５】
また、本実施形態では、クラッカー本体部１ａは、円筒状をなして構成される場合について説明したが、これに限らず、クラッカー本体部１ａは、多角柱状や扁平な多角形状（例えば三角形）をなして構成されてもよい。
【００７６】
また、本実施形態では、被取付体がガイド部２５０で下方向（引張方向）に引張られる場合について説明したが、これに限らず、被取付体は、ガイド部２５０で引張方向として例えば左右方向に引張られることも可能である。例えば、クラッカー用の紐引き装置２は、図３の態様（少なくとも付勢手段２３０と係止部２４０とガイド部２５０と解除部２６０）を右に９０度回転した状態の態様を採用できる。この場合、係止部２４０で係止されて待機位置Ｓにある被取付体２２０は、解除部２６０によって、待機位置Ｓから移動開始位置Ｍに移動させられると、付勢手段２３０の付勢力によって、ガイド部２５０で左方向に引張られて爆発位置Ｌに移動する（案内される）。
【００７７】
また、本実施形態では、クラッカー１は、二つのクラッカー本体部１ａを備えて構成される場合について説明したが、これに限らず、クラッカー１が備えるクラッカー本体部１ａの数は、一つや三つ以上（例えば四つ）とすることもできる。
【符号の説明】
【００７８】
１…クラッカー、１ａ…クラッカー本体部、１ｂ…引き紐、１ｃ…外装体、２…クラッカー用の紐引き装置、２１０…本体部、２２０…被取付体、２２４…小孔、２３０…付勢手段、２４０…係止部、２５０…ガイド部、２６０…解除部、２７０…操作手段、２７１…電磁アクチュエータ、２７２…送信装置、２７２ａ…ボタン、２７３…受信装置、３…収納部、３１０…収納体、３１１…中空部、３２０…保持台、３２１…上板、３２２…下板、３２３…支柱、４…樽部、４ａ…孔、Ｎ０〜Ｎ３…ネジ、Ｃ…ケーブル、Ｈ…箱体、Ｓ…待機位置、Ｍ…移動開始位置、Ｌ…爆発位置
【図１】
2013100936.tif 000003
【図２】
2013100936.tif 000004
【図３】
2013100936.tif 000005
【図４】
2013100936.tif 000006